(57)【要約】【課題】振込時に全ての振込先情報の入力を不要とし、振込ＩＤの入力のみでの振込を可能とすることで、振込時の入力ミスによる入金遅延、ひいては売掛金消込事務の増大といった問題を解消し、更には振込先情報が変更になった場合でも取引先への通知を不要として継続的に振込ＩＤによる振込を可能とする。【解決手段】本発明のＩＤ振込サービスシステムは、顧客端末装置からの振込先情報を受信する通信制御部１２と、上記振込先情報を受信したときに振込ＩＤを発番する制御部１１と、上記振込ＩＤと上記振込先情報とを関連付けて記憶するＩＤ振込サービスＤＢ１５とを有し、上記振込ＩＤが当該振込先情報を一意に特定するものであることを特徴とする。【選択図】    図１
2004287953.tif 000002
【特許請求の範囲】
【請求項１】
顧客端末装置とネットワークを介して通信可能に接続されたＩＤ振込サービスシステムにおいて、
上記顧客端末装置からの振込先情報を受信する通信手段と、
上記振込先情報を受信したときに振込ＩＤを発番する制御手段と、
上記振込ＩＤと上記振込先情報とを関連付けて記憶する記憶手段と、
を有することを特徴とするＩＤ振込サービスシステム。
【請求項２】
上記振込先情報は金融機関名、支店名、口座種別、口座番号、口座名義を少なくとも含み、上記振込ＩＤは当該振込先情報を一意に特定するものである、ことを特徴とする請求項１に記載のＩＤ振込サービスシステム。
【請求項３】
上記顧客端末装置から振込ＩＤ及び変更後の振込先情報を上記通信手段にて受信したときには、当該振込ＩＤに対応する振込先情報を当該変更後の振込先情報の内容に更新するように制御する、ことを更なる特徴とする請求項１に記載のＩＤ振込サービスシステム。
【請求項４】
上記振込ＩＤを用いた入金がなされた場合には、上記記憶手段より当該振込ＩＤに対応する振込先情報を読み出し、当該振込先情報に基づいた入金処理を行う入金処理手段を更に有することを特徴とする請求項１に記載のＩＤ振込サービスシステム。
【請求項５】
顧客端末装置、取引者端末装置とネットワークを介して通信可能に接続されたＩＤ振込サービスシステムにおいて、
上記顧客端末装置、取引者端末装置と通信するための通信手段と、
上記振込先情報を受信したときに振込ＩＤを発番する制御手段と、
上記振込ＩＤと上記振込先情報とを関連付けて記憶する第１のデータベースと、
上記振込ＩＤと顧客情報とを関連付けて記憶する第２のデータベースと、
上記振込ＩＤと取引情報とを関連付けて記憶する第３のデータベースと、
を有し、上記制御手段は、更に上記取引者端末装置による振込に係る振込ＩＤを受けたときには、当該振込ＩＤに基づいて上記第１乃至第３のデータベースを参照し、所定の情報を生成し、当該情報を上記顧客端末装置に上記通信手段を介して送信するように制御する、ことを特徴とするＩＤ振込サービスシステム。
【請求項６】
上記振込ＩＤを用いた入金がなされた場合には、上記第１のデータベースより当該振込ＩＤに対応する振込先情報を読み出し、当該振込先情報に基づいた入金処理を行う入金処理手段を更に有することを特徴とする請求項５に記載のＩＤ振込サービスシステム。
【請求項７】
上記振込ＩＤには、振込先情報を一意に特定する情報、入力の正否を確認する情報、顧客独自の情報を少なくとも含むことを特徴とする請求項１乃至６のいずれかに記載のＩＤ振込サービスシステム。
【請求項８】
顧客端末装置とネットワークを介して通信可能に接続されたＩＤ振込サービスシステムによるＩＤ振込サービス方法において、
通信手段により上記顧客端末装置からの振込先情報を受信したときに、制御手段により振込ＩＤを発番し、記憶手段により当該振込ＩＤと上記振込先情報とを関連付けて記憶する、ことを特徴とするＩＤ振込サービス方法。
【請求項９】
上記顧客端末装置から振込ＩＤ及び変更後の振込先情報を上記通信手段にて受信したときには、当該振込ＩＤに対応する振込先情報を当該変更後の振込先情報の内容に更新するように制御する、ことを更なる特徴とする請求項８に記載のＩＤ振込サービス方法。
【請求項１０】
入金処理手段により、上記振込ＩＤを用いた入金がなされた場合には、上記記憶手段より当該振込ＩＤに対応する振込先情報を読み出し、当該振込先情報に基づいた入金処理を行うことを特徴とする請求項８に記載のＩＤ振込サービス方法。
【請求項１１】
顧客端末装置、取引者端末装置と通信可能に接続されたＩＤ振込サービスシステムによるＩＤ振込サービス方法において、
制御手段により、通信手段にて上記顧客端末装置からの振込先情報を受信したときに、振込ＩＤを発番し、データベースに当該振込ＩＤと上記振込先情報とを関連付けて記憶し、当該振込ＩＤに基づいて上記データベースを参照し、所定の情報を生成し、当該情報を上記顧客端末装置に上記通信手段を介して送信する、ことを特徴とするＩＤ振込サービス方法。
【請求項１２】
入金処理手段により、上記振込ＩＤを用いた入金がなされた場合には、上記データベースより当該振込ＩＤに対応する振込先情報を読み出し、当該振込先情報に基づいた入金処理を行うことを特徴とする請求項１１に記載のＩＤ振込サービス方法。
【請求項１３】
上記振込先情報は金融機関名、支店名、口座種別、口座番号、口座名義を少なくとも含み、上記振込ＩＤは当該振込先情報を一意に特定するものである、ことを特徴とする請求項８乃至１２のいずれかに記載のＩＤ振込サービス方法。
【発明の詳細な説明】
【０００１】
【発明の属する技術分野】
本発明は、例えば銀行等といった金融機関等で用いられるシステム及び方法に係り、特に振込先情報を特定する為の振込ＩＤに基づいた振込を可能ならしめるＩＤ振込サービスシステム及びＩＤ振込サービス方法に関する。
【０００２】
【従来の技術】
従来、金融機関等の顧客（例えば企業等）が、取引先に対して振込を要求する場合には、予め当該顧客の振込先情報（金融機関名、支店名、口座種別、口座番号、口座名義等を含む）を知らせる必要がある。
【０００３】
この顧客の振込先情報の通知を受けた取引先は、銀行のＡＴＭ、ファームバンキング、銀行窓口等において、これら金融機関名、支店名、口座種別、口座番号、口座名義等を操作入力、或いは記入して実際の振込を行う。
【０００４】
また、昨今の金融機関の支店統合や企業等の顧客自身の合併等により、振込先情報に変更が生じた場合には、当該顧客は金融機関に対して振込先情報の変更を依頼し、取引先に対しても変更後の振込先情報を再度通知する。
【０００５】
【発明が解決しようとする課題】
しかしながら、大量に振込入金がある顧客について、取引先の振込操作時の入力ミスや記入ミスにより一定量の入金が遅延し、売掛金消込業務の増大をもたらし、売掛金管理が煩雑なものとなっている。
【０００６】
また、企業等といった顧客にとって、前述したような振込先情報が変更された場合の取引先への再度の振込先情報の通知は、通知負荷や通知コストが大きく煩雑なものとなっており、その改善が嘱望されている。
【０００７】
本発明は、上記問題に鑑みてなされたもので、その目的とするところは、振込時に全ての振込先情報の入力を不要とし、振込ＩＤの入力のみでの振込を可能とすることで、振込時の入力ミスや記入ミスによる入金遅延、ひいては売掛金消込事務の増大といった問題を解消し、更には振込先情報が変更になった場合でも取引先への通知を不要として継続的に振込ＩＤによる振込を可能とする、ＩＤ振込サービスシステム及びＩＤ振込サービス方法を提供することにある。
【０００８】
【課題を解決するための手段】
上記目的を達成するために、本発明の第１の態様では、顧客端末装置とネットワークを介して通信可能に接続されたＩＤ振込サービスシステムにおいて、上記顧客端末装置からの振込先情報を受信する通信手段と、上記振込先情報を受信したときに振込ＩＤを発番する制御手段と、上記振込ＩＤと上記振込先情報とを関連付けて記憶する記憶手段と、を有することを特徴とするＩＤ振込サービスシステムが提供される。この第１の態様において、上記振込先情報は金融機関名、支店名、口座種別、口座番号、口座名義を少なくとも含み、上記振込ＩＤは当該振込先情報を一意に特定するものである、ことを特徴としてもよい。さらに、この第１の態様において、上記顧客端末装置から振込ＩＤ及び変更後の振込先情報を上記通信手段にて受信したときには、当該振込ＩＤに対応する振込先情報を当該変更後の振込先情報の内容に更新するように制御する、ことを更なる特徴としてもよい。また、この第１の態様において、上記振込ＩＤを用いた入金がなされた場合には、上記記憶手段より当該振込ＩＤに対応する振込先情報を読み出し、当該振込先情報に基づいた入金処理を行う入金処理手段を更に有することを特徴としてもよい。
【０００９】
本発明の第２の態様では、顧客端末装置、取引者端末装置とネットワークを介して通信可能に接続されたＩＤ振込サービスシステムにおいて、上記顧客端末装置、取引者端末装置と通信するための通信手段と、上記振込先情報を受信したときに振込ＩＤを発番する制御手段と、上記振込ＩＤと上記振込先情報とを関連付けて記憶する第１のデータベースと、上記振込ＩＤと顧客情報とを関連付けて記憶する第２のデータベースと、上記振込ＩＤと取引情報とを関連付けて記憶する第３のデータベースと、を有し、上記制御手段は、更に上記取引者端末装置による振込に係る振込ＩＤを受けたときには、当該振込ＩＤに基づいて上記第１乃至第３のデータベースを参照し、所定の情報を生成し、当該情報を上記顧客端末装置に上記通信手段を介して送信するように制御する、ことを特徴とするＩＤ振込サービスシステムが提供される。第２の態様において、上記振込ＩＤを用いた入金がなされた場合には、上記第１のデータベースより当該振込ＩＤに対応する振込先情報を読み出し、当該振込先情報に基づいた入金処理を行う入金処理手段を更に有することを特徴としてもよい。
【００１０】
そして、第１及び第２の態様において、上記振込ＩＤには、振込先情報を一意に特定する情報、入力の正否を確認する情報、顧客独自の情報を少なくとも含むことを特徴としてもよい。
【００１１】
本発明の第３の態様では、顧客端末装置とネットワークを介して通信可能に接続されたＩＤ振込サービスシステムによるＩＤ振込サービス方法において、通信手段により上記顧客端末装置からの振込先情報を受信したときに、制御手段により振込ＩＤを発番し、記憶手段により当該振込ＩＤと上記振込先情報とを関連付けて記憶する、ことを特徴とするＩＤ振込サービス方法が提供される。この第３の態様において、上記顧客端末装置から振込ＩＤ及び変更後の振込先情報を上記通信手段にて受信したときには、当該振込ＩＤに対応する振込先情報を当該変更後の振込先情報の内容に更新するように制御する、ことを更なる特徴としてもよい。この第３の態様において、入金処理手段により、上記振込ＩＤを用いた入金がなされた場合には、上記記憶手段より当該振込ＩＤに対応する振込先情報を読み出し、当該振込先情報に基づいた入金処理を行うことを特徴としてもよい。
【００１２】
本発明の第４の態様では、顧客端末装置、取引者端末装置と通信可能に接続されたＩＤ振込サービスシステムによるＩＤ振込サービス方法において、制御手段により、通信手段にて上記顧客端末装置からの振込先情報を受信したときに、振込ＩＤを発番し、データベースに当該振込ＩＤと上記振込先情報とを関連付けて記憶し、当該振込ＩＤに基づいて上記データベースを参照し、所定の情報を生成し、当該情報を上記顧客端末装置に上記通信手段を介して送信する、ことを特徴とするＩＤ振込サービス方法が提供される。この第４の態様において、入金処理手段により、上記振込ＩＤを用いた入金がなされた場合には、上記データベースより当該振込ＩＤに対応する振込先情報を読み出し、当該振込先情報に基づいた入金処理を行うことを特徴としてもよい。
【００１３】
そして、第３及び第４の態様において、上記振込ＩＤには、振込先情報を一意に特定する情報、入力の正否を確認する情報、顧客独自の情報を少なくとも含むことを特徴としてもよい。
【００１４】
【発明の実施の形態】
以下、図面を参照して、本発明の実施形態について説明する。
【００１５】
図１には、本発明の一実施形態に係るＩＤ振込サービスシステム及びその周辺機器を概念的に示し、その構成及び作用を詳細に説明する。
【００１６】
この図１に示されるように、銀行のＩＤ振込サービスシステムとしてのサーバ１は、顧客の顧客端末装置２、取引先のパーソナルコンピュータ３ａ、ＰＤＡ３ｂ、携帯電話機３ｃとインターネット等のネットワーク４を介して通信可能に接続されている。尚、同図では、説明の便宜上、振込ＩＤサービスシステムが１つのサーバ１により構成される例を示したが、これには限定されない。取引先の装置は上記のものに限定されず、所謂モバイル端末全般を含む。
【００１７】
このサーバ１の詳細な構成は、図２（ａ）に示される通りである。
【００１８】
即ち、サーバ１は、当該サーバ１全体の制御を司る制御部１１が、ネットワーク４を介した通信を制御する通信制御部１２、各種表示を行う表示部１３、情報を一時記憶する記憶部１４、ＩＤ振込サービスデータベース（以下、ＤＢと略記する）１５、顧客管理ＤＢ１６、取引情報ＤＢ１７と通信可能に接続され、構成されている。尚、請求項に記載の通信手段、制御手段、記憶手段は、例えば上記通信制御部１２、制御部１１、ＩＤ振込サービスＤＢ１５に相当する。
【００１９】
そして、ＩＤ振込サービスＤＢ１５、顧客管理ＤＢ１６、取引情報ＤＢ１７の一例は図２（ｂ）乃至（ｄ）にそれぞれ示される通りである。
【００２０】
先ず、ＩＤ振込サービスＤＢ１５には、振込ＩＤと振込先情報とが関連付けられて記憶されている。この例では、振込先情報として、金融機関名、支店名、口座種別、口座番号、そして口座名義を含んでいる。そして、顧客管理ＤＢ１６には、振込ＩＤと顧客情報（例えば、氏名、住所等）とが関連付けられて記憶されている。取引情報ＤＢ１７には、振込ＩＤと取引情報（例えば、顧客と取引先の取引番号や取引日付等）が関連付けられて記憶されている。詳細は後述するが、サーバ１の制御部１１は、振込ＩＤをキーとして、これらＤＢ１５乃至１７の自動連携を図る。この点も本実施形態の特徴部分の一つである。
【００２１】
尚、請求項に記載の第１乃至第３のデータベースとは、例えば上記ＤＢ１５乃至１７にそれぞれ相当するものである。
【００２２】
次に、サーバ１により付与される振込ＩＤの一例を図３に示し説明する。
【００２３】
この図３に示されるように、振込ＩＤは、振込先情報を一意に特定する９桁の番号２１と、当該９桁の番号２１から所定の算術式により算出した数字（チェックデジット）２２、顧客独自の４桁の番号２３、当該番号２３から所定の算術式により算出した数字（チェックデジット）２４からなる。これらのうち、番号２１は、例えば金融機関名、支店名、口座種別、口座番号、口座名義を一意に特定するものであり、ＩＤ振込サービスＤＢ１５には両者が関連付けられて記憶されている。番号２３は、顧客の取引番号、取引先番号、取引商品コード等を特定するものであり、両者は顧客管理ＤＢ１６に関連付けられて記憶されている。このような振込ＩＤは、顧客の要望に応じて可変自在である。例えば、振込ＩＤに上記以外の顧客独自の情報を付加することも可能である。尚、上記各番号の桁数は上記のものに限定されないことは勿論である。
【００２４】
以上のような構成であるＩＤ振込サービスシステムでは、大量の振込入金がある顧客に、振込先情報「金融機関、支店、口座種別、口座名義」を特定するための振込ＩＤを付与する。顧客の取引先が実際の振込を行う際には、ＡＴＭ等で当該振込ＩＤのみを入力すれば、振込が可能である。また、顧客の振込先情報に変更が生じた場合（例えば、支店統合、名称変更等による）であっても、顧客は銀行に変更内容を通知するだけで足り、取引先への通知は不要である。即ち、顧客の取引先は、従前通りの振込ＩＤによる振込ができる。
【００２５】
以下、図４の概念図及び図５のフローチャートを参照して、本発明の一実施形態に係るＩＤ振込サービスシステムによる、顧客による新規登録から取引先による当該新規登録後の実際の振込、更には統計資料送付までの一連の処理の例を詳細に説明する。これは、実施形態に係るＩＤ振込サービス方法にも相当する。
【００２６】
顧客端末装置２により銀行のＷｅｂページにアクセスされ、当該Ｗｅｂページにおいてサービスの申込みがなされると（＃１，Ｓ１）、顧客端末装置２に振込先情報登録画面が表示される。顧客は、所定の入力操作を行い、当該画面に自己の振込先情報を入力し、銀行に対して振込先情報登録を行う（＃２，Ｓ２）。
【００２７】
この例では、振込先情報として、以下の情報が銀行のサーバ１に送られる。
【００２８】
金融機関名  ：  ＡＡＡＡ
支店名      ：  本店
口座種別    ：  普通
口座番号    ：  １２５６０９２
口座名義    ：  ＢＢＢＢ
銀行のサーバ１は、顧客端末装置２からの振込先情報を受けると、振込ＩＤを付与し、当該振込ＩＤと振込先情報とを関連付けてＩＤ振込サービスＤＢに登録する（＃３，Ｓ３）。この例では、振込ＩＤとして４３７６２５１９０が付与されており、当該振込ＩＤと上記振込先情報とが関連付けられて蓄積される。
【００２９】
尚、上記の如くＷｅｂページにアクセスすることでサービスの申込み、振込先情報登録を行うほかに、銀行の窓口で所定の申込書に振込先情報を記入して銀行側に提出する手段を採用することもできる。或いは、ＡＴＭにて所定の操作入力を行うことで申込み、登録を行うことも可能である。
【００３０】
続いて、サーバ１は、振込ＩＤを顧客端末装置２に通知する（＃４，Ｓ４）。
【００３１】
顧客端末装置２は、この振込ＩＤの通知を受けると、取引先端末装置３に振込ＩＤを含む振込先通知を行うことになる（＃５，Ｓ５）。ここでは、顧客端末装置２より取引先端末装置３に通信により振込先通知を行うこととしたが、これに限定されることなく、書面（請求書等）に記載して郵送で通知してもよい。
【００３２】
こうして、振込ＩＤの通知を受けた取引先は、例えば銀行のＡＴＭ、インターネットバンキング、ファームバンキング、銀行窓口等のサービスを利用することにより、当該振込ＩＤに基づく振込を行う（＃６，Ｓ６）。
【００３３】
この振込を受けた銀行のサーバ１は、当該振込に係る振込ＩＤをキーとして各ＤＢ１５乃至１７の自動連携を図りつつ統計資料を作成し（Ｓ７）、顧客端末２に送信する（＃７，Ｓ８）。このとき、サーバ１は、ＩＤ振込サービスＤＢ１５を参照して、顧客宛の入金（振込：他行の口座の場合）も行う。この入金処理との関係では、請求項に記載の入金制御手段とは制御部１１に相当する。上記統計資料としては、振込ＩＤを保有する顧客に対し、どの振込方法（インターネット、ＡＴＭ、店頭、データ伝送等）が多いかを示した資料が一例として挙げられる。
【００３４】
こうして、一連の処理を終了することになる。
【００３５】
以上の如き処理によれば、取引先は、金融機関名、支店名、口座種別、口座番号、口座名義等をＡＴＭ等にて入力することなく、振込ＩＤを入力すれば足りることになるので、取引者（振込者）の操作負担が軽減される。
【００３６】
次に、図６の概念図及び図７のフローチャートを参照して、本発明の一実施形態に係るＩＤ振込サービスシステムによる、変更登録に係る一連の処理の例を詳細に説明する。これは、実施形態に係るＩＤ振込サービス方法にも相当する。
【００３７】
顧客端末装置２により銀行のＷｅｂページにアクセスされ、当該Ｗｅｂページにおいて変更依頼がなされると（＃１１，Ｓ１１）、顧客端末装置２に振込先情報登録画面（変更用）が表示される。顧客は、所定の入力操作を行い、当該画面に自己の変更後の振込先情報を入力し、銀行に対して振込先情報変更登録を行う（＃１２，Ｓ１２）。この例では、変更後の振込先情報として、以下の情報が銀行のサーバ１に送られることになる。
【００３８】
金融機関名  ：  ＣＣＣＣ
支店名      ：  丸の内
口座種別    ：  普通
口座番号    ：  １３０６４８２
口座名義    ：  ＤＤＤＤ
銀行のサーバ１は、顧客端末装置２からの変更後の振込先情報を受けると、先に付されている振込ＩＤと関連付けられてＩＤ振込サービスＤＢに記憶されている振込先情報の内容を上記変更後の内容に更新する（＃１３，Ｓ１３）。
【００３９】
即ち、例え振込先情報に変更があった場合であっても、振込ＩＤには変更はない。従って、この場合には、顧客端末装置２に改めて振込ＩＤを通知することもなく、顧客から取引先に対して振込ＩＤを再度通知することもない。この点において、顧客・取引先双方の作業負担が軽減されている。
【００４０】
尚、上記の如くＷｅｂページにアクセスすることで振込先情報の変更登録を行うほかに、銀行の窓口で所定の変更申込書に変更後の振込先情報を記入して銀行側に提出する手段を採用することもできる。或いは、ＡＴＭにて所定の操作入力を行うことで申込み、登録内容を変更することも可能である。
【００４１】
以降、取引先が、例えば銀行のＡＴＭ、インターネットバンキング、ファームバンキング、銀行窓口等のサービスを利用することにより、当該振込ＩＤに基づく振込を行うと（＃１４，Ｓ１４）。この振込を受けた銀行のサーバ１は、当該振込に係る振込ＩＤをキーとして、各ＤＢ１５乃至１７の自動連携を図りつつ統計資料を作成し（Ｓ１５）、顧客端末２に送信する（＃１５，Ｓ１６）。
【００４２】
このとき、サーバ１は、ＩＤ振込サービスＤＢ１５を参照して、顧客宛の入金（振込：他行の口座の場合）も行う。この入金処理との関係では、請求項に記載の入金制御手段とは制御部１１に相当する。尚、この統計資料としては、振込ＩＤを保有する顧客に対し、どの振込方法（インターネット、ＡＴＭ、店頭、データ伝送等）が多いかを示した資料が一例として挙げられる。
【００４３】
こうして、一連の処理を終了することになる。
【００４４】
以上の如き処理によれば、取引者による振込時の入力ミスによる入金遅延、売掛金消込事務の増大を解消することができる。更に、振込は振込ＩＤのみによるので、入力ミスが生じ難く、仮に入力ミスが発生したとしても、前述したようなチェックデジット機能により入力時にミスを検出できる。また、顧客にとっても金融機関の支店統合や企業自身の合併等によって、例え振込先情報が変更になったとしても取引先への通知は不要であり、銀行への振込先情報変更登録だけで足りることから、通知負荷や通知コストが軽減されることになる。
【００４５】
以上、本発明の実施形態について説明したが、本発明はこれに限定されることなく、その趣旨を逸脱しない範囲で種々の改良、変更が可能であることは勿論である。例えば、振込ＩＤを、いくつかの領域に分け、各領域に支店や業種区分等で意味のある番号を採番することもできる。この場合、インターネットやＡＴＭで顧客が番号を先頭から入れていくと徐々に絞り込まれて、画面遷移することなく、その後の番号を選択表示できる（若しくは顧客名を選択表示）。更に、これによれば、視覚的にも振込人が選択し易いようになる。
【００４６】
また、例えばＡＴＭやインターネットバンキングのオペレーション画面において、最初からメニュー画面にＩＤ振込用の項目を列挙し、当該項目に顧客名を選択ボタンの如き態様で表示させ、ユーザが振込先を容易に選定できるように構成することもできることは勿論である。
【００４７】
【発明の効果】
以上詳述したように、本発明によれば、振込時に全ての振込先情報の入力を不要とし、振込ＩＤの入力のみでの振込を可能とすることで、振込時の入力ミスによる入金遅延、ひいては売掛金消込事務の増大といった問題を解消し、更には振込先情報が変更になった場合でも取引先への通知を不要として継続的に振込ＩＤによる振込を可能とする、振込ＩＤサービスシステム及び振込ＩＤサービス方法を提供することができる。
【図面の簡単な説明】
【図１】本発明の一実施形態に係るＩＤ振込サービスシステム及びその周辺機器を概念的に示す図である。
【図２】（ａ）はサーバ１の詳細な構成を示す図であり、（ｂ）はＩＤ振込サービスＤＢ１５の一例を示す図であり、（ｃ）は顧客管理ＤＢ１６の一例を示す図であり、（ｄ）は取引情報ＤＢ１７の一例を示す図である。
【図３】サーバ１により付与される振込ＩＤの一例を示す図である。
【図４】本発明の一実施形態に係るＩＤ振込サービスシステムによる、顧客による新規登録から取引先による当該新規登録後の実際の振込、更には統計資料送付までの一連の処理を詳細に説明する概念図である。
【図５】本発明の一実施形態に係るＩＤ振込サービスシステムによる、顧客による新規登録から取引先による当該新規登録後の実際の振込、更には統計資料送付までの一連の処理を詳細に説明するフローチャートである。
【図６】本発明の一実施形態に係るＩＤ振込サービスシステムによる、変更登録に係る一連の処理を詳細に説明する概念図である。
【図７】本発明の一実施形態に係るＩＤ振込サービスシステムによる、変更登録に係る一連の処理を詳細に説明するフローチャートである。
【符号の説明】
１・・・サーバ、２・・・顧客端末装置、３ａ・・・パーソナルコンピュータ、３ｂ・・・ＰＤＡ、３ｃ・・携帯電話機、４・・・ネットワーク。
【図１】
2004287953.tif 000003
【図２】
2004287953.tif 000004
【図３】
2004287953.tif 000005
【図４】
2004287953.tif 000006
【図５】
2004287953.tif 000007
【図６】
2004287953.tif 000008
【図７】
2004287953.tif 000009